(57)【要約】【課題】  ケースの傾きに対応してヘッドが回動でき、同じ量のヘッドの傾きに対し従来よりテープの捩れが小さい転写具、ヘッドの曲げを規制しヘッドが破損を防止する転写具を提供する。【解決手段】    転写ヘッド１１はヘッド圧着部１２と支持部１８とを備える。支持部の両側縁部には前後に隔てて前側支柱２０と後側支柱２１が設けられ、穴２２を形成してブリッジ部２３が形成されている。ブリッジ部は薄肉になっており、撓む事が可能である。前側支柱はケース２の前側溝３７に嵌り、後側支柱は後側溝４０にはまる。そしてブリッジ部は上下の押え部材４３、４４により挟まれる。転写時にはブリッジ部が撓むが、ケースが傾いたときには一方のブリッジ部が大きく撓み、ヘッドは他方のブリッジ部を支点に回転する。ヘッドに過剰な力が作用すると、テープガイド１５の上面１５ａ或いは１５ｂがケースの窓孔３３の縁部に当接して変形を制限する。【選択図】図２
2006281496.tif 000002
【特許請求の範囲】
【請求項１】
ケースと、該ケース内に回動可能に支承されたテープ供給リールと、先端の転写部をケースの外部に臨ませた状態でケースに取付けられた転写ヘッドと、前記供給リールから引出され、前記転写ヘッド先端を経たテープを巻き取る巻取りリールとを備えた塗膜転写具において、前記転写ヘッドは、先端が前記転写部となった板状部を備えたヘッド圧着部と、前記ヘッド圧着部の後部に一体的に形成された支持部とを備え、前記支持部は、前記ヘッド圧着部に繋がる板状の本体部と、該本体部の両側縁部にそれぞれ前後に隔てて形成され、前記ケースへ取付けられる取付け部とを備え、前記本体部には、その両側縁部から所定の距離だけ離れた位置において前後方向に伸びる孔が形成されて前記前後の取付け部の間に前後方向に伸びるブリッジ部が形成され、前記塗膜転写具はさらに、前記ケースに固定され、前記ブリッジ部の長手方向所定の位置で前記ブリッジ部の上面に当接する上側押さえ部材を備えていることを特徴とする、塗膜転写具。
【請求項２】
請求項１記載の塗膜転写具において、前記塗膜転写具はさらに、前記ケースに固定され、前記ブリッジ部の長手方向所定の位置で前記ブリッジ部の下面に当接する下側押さえ部材を備えていることを特徴とする、塗膜転写具。
【請求項３】
請求項１又は２に記載の塗膜転写具において、前記ブリッジ部は薄肉に形成されていることを特徴とする、塗膜転写具。
【請求項４】
請求項１乃至３のいずれか１に記載の塗膜転写具において、前記ヘッド圧着部が前記ヘッド圧着部の前記上下側面に垂直で前記ブリッジ部の長手方向に広がる面内で移動するときに、その移動を予め定められた範囲内に制限する手段を備えていることを特徴とする、塗膜転写具。
【請求項５】
請求項４記載の塗膜転写具において、前記ヘッド圧着部にはその横方向両側部において前記板状部に直交する方向に広がるテープガイド部が設けられ、前記テープガイド部が前記ケースに当接することにより前記ヘッド圧着部の移動を予め定められた範囲内に制限することを特徴とする塗膜転写具。
【請求項６】
請求項５記載の塗膜転写具において、前記ケースには前記転写ヘッドのヘッド圧着部が挿通される窓孔が形成され、前記テープガイド部の上側縁部或いは下側縁部が前記窓孔の縁に当接することによりより前記ヘッド圧着部の移動を予め定められた範囲内に制限することを特徴とする塗膜転写具。
【発明の詳細な説明】
【技術分野】
【０００１】
本発明は塗膜転写具に関し、さらに詳細に言えば、塗膜の転写中に転写ヘッドが必要に応じて回動でき、且つ元の位置に自動復帰する塗膜転写具に関する。
【背景技術】
【０００２】
従来からプラスチック製などのテープ基材に修正塗膜などを塗布した塗膜テープを使用した塗膜転写具が使用されている。転写するには、このテープを供給リールから板状の転写ヘッドの先端を回して巻取りリールへと伸ばし、ヘッド先端をを被転写部に圧着しながら転写具を移動させる。転写ヘッドは後端側がケースに固定された板状部材として構成されている例が多い。ところでこの転写具で曲線的に転写しようとするとケースが傾いてしまう場合が多い。また直線的に移動させていても意図せずにケースが傾く場合がある。このような場合、転写ヘッド先端部が均一に被転写部に接触せず、先端部の片側が被転写部から離れてしまい、転写に不具合が生じる。
【０００３】
この問題に対処して、特許第３３０６４６４号に開示されたと膜転写具では、圧着ブレードをその装着部において圧着ブレードホルダーにより装着部の軸芯回りに回転可能に支持し、その装着部から前方へ軸部を伸ばしてその先端にテープを圧着する先端部を一体に設け、一方装着部の後端側に一端が固定されたコイルバネの他端側を取付け、これによりブレードが装着部の軸芯回りに回転し、バネにより元の位置に戻されるようになっている。
【特許文献１】特開２００２−８６９８６号公報
【発明の開示】
【発明が解決しようとする課題】
【０００４】
ところで、特許第３３０６４６４号ではブレードは装着部の軸芯回りに回転するので、それに伴ってその回転角度分だけテープが捩じれる。また、同特許では圧着ブレードが転写テープ面に対して−９０度から＋９０度の範囲で回転することが望ましいとしている。そのため、テープの両側縁をガイドするガイド部などを備えたブレードの先端部は完全にケースの外側に位置している。そしてブレードを突出させるためにケースに設けられた窓孔は、ブレードが大きく回転してもテープの移動の障害とならないように、窓孔を通過する軸部の径に対してきわめて大きくなっている。このため、軸部に大きな曲げ力が作用した場合、曲げ量を制限するものが無いために大きく曲げられ、破損してしまう可能性が有る。
【０００５】
一般的に被転写部の曲がり方が大きければそれだけヘッドの回転量も大きくなる。しかしヘッドが必要に応じて回転できることは望ましいが、余りに急なカーブに沿って転写した場合、ブレード先端の圧着部はその左右端部で移動量が大幅に異なり、テープに引出しがスムーズに行えず、良好な転写は行えない。また、その場合にテープ自体の捩じれも大きくなり、テープの外れなどの問題も生じうる。しかし、通常の使い方をする場合においてはヘッドが回転できる角度範囲はもっと小さくても十分である。
【０００６】
本願発明は上記従来の問題点に鑑みなされたものであり、本願発明者が得た、転写ヘッドのヘッド圧着部をケースの傾きに対応して回転させるには、前記のように装着部をその軸芯回りに回転させるという構成によらなくても可能であるとの知見に基づき、先ず第１に特許第３３０６４６４号とは全く異なる技術的思想によるヘッド圧着部がケースの傾きに応じて回転できる塗膜転写具を提供することその課題とする。また、同じ量だけヘッドが傾いても従来よりテープの捩れが小さい転写具を提供することをその課題とする。また、ヘッドのがある範囲でスムーズに回転できる一方、ヘッドに曲げが作用してもヘッドが破損することのない転写具を提供することも本発明の課題である。
【課題を解決するための手段】
【０００７】
上記課題を解決するために本発明は、ケースと、該ケース内に回動可能に支承されたテープ供給リールと、先端の転写部をケースの外部に臨ませた状態でケースに取付けられた転写ヘッドと、前記供給リールから引出され、前記転写ヘッド先端を経たテープを巻き取る巻取りリールとを備えた塗膜転写具において、前記転写ヘッドは、先端が前記転写部となった板状部を備えたヘッド圧着部と、前記ヘッド圧着部の後部に一体的に形成された支持部とを備え、前記支持部は、前記ヘッド圧着部に繋がる板状の本体部と、該本体部の両側縁部にそれぞれ前後に隔てて形成され、前記ケースへ取付けられる取付け部とを備え、前記本体部には、その両側縁部から所定の距離だけ離れた位置において前後方向に伸びる孔が形成されて前記前後の取付け部の間に前後方向に伸びるブリッジ部が形成され、前記塗膜転写具はさらに、前記ケースに固定され、前記ブリッジ部の長手方向所定の位置で前記ブリッジ部の上面に当接する上側押さえ部材を備えている塗膜転写具を提供する。
ある実施の形態では、その記塗膜転写具はさらに、前記ケースに固定され、前記ブリッジ部の長手方向所定の位置で前記ブリッジ部の下面に当接する下上側押さえ部を備えている。
さらに他の実施の形態では、そのブリッジ部は薄肉に形成されている。
さらに他の実施の形態では、そのヘッド圧着部が前記ヘッド圧着部の前記上下側面に垂直で前記ブリッジ部の長手方向に広がる面内で移動するときに、その移動を予め定められた範囲内に制限する手段を備えている。
さらに他の実施の形態では、ヘッド圧着部にはその横方向両側部において前記板状部に直交する方向に広がるテープガイド部が設けられ、前記テープガイド部が前記ケースに当接することにより前記ヘッド圧着部の移動を制限する。
さらに他の実施の形態では、ケースには前記転写ヘッドのヘッド圧着部が挿通される窓孔が形成され、前記テープガイド部の上側縁部或いは下側縁部が前記窓孔の縁に当接することによりより前記ヘッド圧着部の移動を制限する。
【発明の効果】
【０００８】
ケースの傾きに対応してヘッド圧着部が回転する際のテープの捩れを少なくして良好な転写状態を維持できる。また、ヘッド圧着部の回転がスムーズにできるとともに軸部の破損が防止できる。
【発明を実施するための最良の形態】
【０００９】
以下、図面を参照して本発明の実施の形態について説明する。図１は本発明の実施の形態に基づく塗膜転写具１の側断面図であり、主として本願発明を説明するのに必要な部材のみを図示してある。図において、符号３は上ケース３ａ（図４参照）と一緒にケース２を構成する下ケースでり、４はケースに回転可能に支承されたテープ供給リールで、大ギヤ５と摩擦により一体的に回転するようになっている。リール４にはテープ6を巻いて構成したパンケーキ７が取付けられている。符号８はテープを巻き取る巻取りリールで、大ギヤ５と噛合う小ギヤ9と一体に回転するようになっている。これらの構成は公知であり、詳細な説明は省略する。
【００１０】
図２は本実施の形態で使用する転写ヘッド１１の斜視図であり、図３は下ケース３の転写ヘッド１１の取付けに関連する部分を示す一部を切欠いた部分斜視図である。
【００１１】
転写ヘッド１１は本実施のプラスチック製で、大略２つの部分に分けられ、その一つは前方の部分即ち図１において右側の方に位置するヘッド圧着部１２である。ヘッド圧着部１２は先端が圧着部１４となる、平面視略方形の形をした平板状の板状部１３を備えている。そして板状部１３の幅方向両側縁部にはテープガイド１５、１５が対称に形成されている。テープガイド１５は、板状部前側端部即ち圧着部１４の少し手前から後方へ伸び、板状部１３に直交する面内で板状部１３の上下に広がっている。符号１５ａ、１５ｂはそれぞれテープガイド部１５の上縁部、下縁部である。
【００１２】
ヘッド圧着部１２の後側にはヘッド圧着部１２と一体に形成された支持部１８が設けられている。支持部１８は板状の本体部１９を備え、その本体部１９の両側縁部にそれぞれ前後に隔てて、取付け部としての前側支柱２０と後側支柱２１とが本体部１９の上方及び下方へ伸びて形成されている。前側支柱２０も後側支柱２１も平面視で部分的に本体部１９の側方へはみ出した形をしている。また、前側支柱２０は図示の通りヘッド圧着部１２のテープガイド１５と一体化して繋がっている。されており、テープガイド部１５とでＬ字状になっている。
【００１３】
本体部１９の両側縁部から少し離れた位置に、前後方向で前側支柱２０より少し後の位置から後側支柱２１の少し手前まで伸びる略長方形の穴２２が形成され、それによって前後の支柱２０、２１の間に伸びるブリッジ部２３が形成されている。そしてこのブリッジ部２３は少なくとも後述する押さえ部材４３、４４が当接する位置の前後ある範囲に渡って薄肉になっており、力が加わると撓むようになっている。
【００１４】
図３において下ケース３は底壁３１とその外周部において底壁３１に直交する方向に立設されている周壁３２とを備えている。また、ケース２は転写ヘッド１１のヘッド圧着部１２が挿通される窓孔３３が形成されている。窓孔３３は本実施の形態では底壁３１と周壁３２に設けられた丈の短い、互いに向い合って形成された縦リブ（一方は上ケース３ａに形成される）と、これも互いに向い合って形成された横リブ３５、３５が形成されている（図１参照）。なお、横リブ３５、３５は下ケース３と上ケース３ａとにそれぞれ略半分の長さ分だけ形成され、両者が一体となって横リブ３５、３５を構成するが、説明の便宜上、その半分の部分も同じ名称を使用し、同じ符号を使用する。
【００１５】
下ケース３の底壁３１の内面側には、縦リブ３４から後に少し離れて縦リブ３４と平行に第１の突条３６が形成され、縦リブ３４との間に前側溝３７を形成している。この溝３７の幅は前述した転写ヘッド１１の支持部１８の前側支柱２０の前後方向での厚みより少し大きくなっており、組立てたときにこの溝３７に前側支柱２０の本体部１９からはみ出した部分が嵌るようになっている。さらに、第１の突条３６から後方向に隔てて同様の第２と第３の突条３８、３９が形成されている。これらの突条３８、３９の間に形成される後側溝４０の幅は、前述の後側支柱２１の前後方向での厚みより少し大きくなっており、組立てたときにこの溝４０に後側支柱２１の本体部１９からはみ出した部分が嵌るようになっている。
【００１６】
第１と第２の突条３６と３８との間において底壁３１の内面側に、短い軸状の上押え部材４３と下押え部材４４とが上下に隔てて平行に伸びるように立設されている。組立てたとき、この上下の押え部材４３、４４の間に前述のブリッジ部２３が挟まれて位置する。上下押え部材４３、４４の間隔はブリッジ部２３の厚みにほぼ等しく、ほとんどクリアランスの無い状態でブリッジ部２３は挟まれている。上ケース３ａの形状は下ケース３とほぼ面対称になっており、上述した縦リブ３４、横リブ３５、第１、第２、第３の突条３６、３８、３９、前側溝３７、後側溝４０、上下の押さえ部材４３、４４が同じように形成されている。
【００１７】
図４は転写ヘッド１１をケース２に組付けた状態を説明するための部分平面断面図である。前述した通り下ケース３と上ケース３ａのそそれぞれの第１、第２の溝３７、４０にはそれぞれ対応する前側支柱３４と後側支柱２１とが適度のクリアランスを持って嵌り、上下の押え部材４３、４４によりそれぞれのブリッジ部２３が挟持されている。溝３７、３８と支柱２０。２１との間のクリアランスは、後述する転写ヘッド１１の回転の妨げとならない程度とされている。
【００１８】
上記の構成を備えた転写具１において使用時においてはブリッジ部２３がそれぞれの上押え部材に４３に押しつけられ、撓む。このように撓むことにより、転写時にクッション効果が生じ、転写作業時の感触がよくなる。そして使用中にケース２が傾いた場合には、従来の場合と同様に転写ヘッド１１のヘッド圧着部に作用する力が幅方向左右において異なるので、一方のブリッジ部が大きく撓み、ヘッド全体が他方のブリッジ部を支点として回転することとなる。この場合、ブリッジ部の一方を支点として回転するので、左右の傾き量が同じ場合、従来より回転角度が小さくなり、テープの捩れ量が小さくなり、転写作業が良好に行える。また、使用中に転写ヘッド１１に横方向に動かすような力が作用した場合でも、支柱２０、２１と溝３７、４０の底との間に若干のクリアランスがあるので平行移動が可能である。なお、支柱２０、２１はその上下方向でもケース２との間に僅かなクリアランスが有る。ブリッジ部２３は弾性を有するので、作用する力が除かれればその撓みは元に戻る。
【００１９】
使用者によっては過度な力を加えながら転写具を使用する場合が有りうる。その場合、軸部２４に大きな曲げモーメントが作用し大きく曲げ変形して、前述の特許第３３０６４６４号の場合などは軸部が破損する可能性が有るが、本実施の形態では、そのような場合は、転写ヘッド１１のテープガイド１５の上面１５ａが窓孔３３の上側の縁部３５ａに当接し、それ以上の変形を阻止するので、ヘッド１１が破損することはない。なお、転写具１を天地逆さまにしていわゆる押し引き状態で使用する場合には、上記の上側の押さえ部材４３に代わって下側の押さえ部材４４が作用し、ヘッド１１は窓あな３の反対側の縁部３５ｂに当接して曲げ変形を制限され、破損を防止される。
【図面の簡単な説明】
【００２０】
【図１】本発明の実施の形態による塗膜転写具の側断面図ある。
【図２】図１の実施の形態で使用する転写ヘッドの斜視図である。
【図３】下ケースの一部切欠き部分斜視図である。
【図４】ケースへのヘッドの取付け方を示す平面断面図である。
【符号の説明】
【００２１】
１：塗膜転写具    ２：ケース    ３：下ケース    ３ａ：上ケース１１：転写ヘッド    １２：ヘッド圧着部    １５：テープガイド  ２０：前側支柱    ２１：後側支柱    ２２：穴    ２３：ブリッジ部    ３１：底壁    ３２：周壁    ３３：窓孔    ３４：縦リブ    ３５：横リブ    ３７：前側溝    ４０：後側溝    ４３：上押え部材    ４４：下押さえ部材
【図１】
2006281496.tif 000003
【図２】
2006281496.tif 000004
【図３】
2006281496.tif 000005
【図４】
2006281496.tif 000006